(57)【要約】【課題】異物が表示パネルの表示面に到達することを抑制する。【解決手段】粘着部４０は、表示装置１００の外部と表示パネル６０の表示面６０ａが存在する領域との間において空気が流れるための経路Ｋ１を有する。経路Ｋ１は、空気の流れを曲げるための屈曲部Ｂｄ１を有する。粘着部４０のうち屈曲部Ｂｄ１に接する部分には、経路Ｋ１において表示パネル６０の表示面６０ａの方向へ流れる空気の一部を滞留させるくぼみＶ１が設けられている。【選択図】図３
2019008093.tif 000002
【特許請求の範囲】
【請求項１】
表示装置であって、
画像を表示する表示面を有する表示パネルと、
前記表示面の周縁部を覆う筐体と、
前記筐体を覆う板状部材と、
前記板状部材を、前記筐体に接合するための粘着部と、を備え、
前記筐体は、前記板状部材により覆われる主面を有し、
平面視における前記主面の形状は、閉ループ状であり、
前記板状部材は、前記粘着部を介して、前記筐体の前記主面に接合され、
前記粘着部は、前記表示装置の外部と前記表示面が存在する領域との間において空気が流れるための経路を有し、
前記経路は、前記空気の流れを曲げるための屈曲部を有し、
前記粘着部のうち前記屈曲部に接する部分には、前記経路において前記表示面の方向へ流れる前記空気の一部を滞留させるくぼみが設けられている
表示装置。
【請求項２】
前記くぼみの入り口の幅は、前記経路の幅より大きい
請求項１に記載の表示装置。
【請求項３】
前記粘着部のうち、前記経路に接する部分は、凹凸形状を有する
請求項１または２に記載の表示装置。
【請求項４】
前記粘着部は、帯状の複数の粘着部材で構成されている
請求項１から３のいずれか１項に記載の表示装置。
【請求項５】
前記粘着部は、１つの粘着部材で構成されている
請求項１から３のいずれか１項に記載の表示装置。
【発明の詳細な説明】
【技術分野】
【０００１】
本発明は、表示パネルを備える表示装置に関する。
【背景技術】
【０００２】
近年の情報電子機器の普及に伴い、液晶パネル等の表示パネルの表示面側に、タッチパネル等を設けた表示装置が広く普及している（例えば、特許文献１または特許文献２参照）。
【０００３】
特許文献１，２には、表示装置内に異物が侵入することを抑制する構成が開示されている。なお、本明細書において、異物は、例えば、空気、風等により容易に移動する非常に小さいちりである。
【０００４】
具体的には、特許文献１には、隣接する２つのクッション部材が相互に接する部分の長さを、当該クッション部材の幅より長くした構成（以下、「関連構成Ａ」ともいう）が開示されている。
【０００５】
また、特許文献２には、表示装置の外部の気圧と、当該表示装置の内部の気圧との差が大きくなることを抑制する通気路を当該表示装置に設けた構成（以下、「関連構成Ｂ」ともいう）が開示されている。具体的には、関連構成Ｂでは、表示装置内に異物が侵入することを抑制するために、通気路は折り曲げられている。
【先行技術文献】
【特許文献】
【０００６】
【特許文献１】特開２０１３−０５２７７４号公報
【特許文献２】特開２００７−２９３８１０号公報
【発明の概要】
【発明が解決しようとする課題】
【０００７】
なお、関連構成Ａでは、作業員が、手作業により、隣接する２つのクッション部材を表示パネル（ディスプレイ部）に貼り付ける。そのため、隣接する２つのクッション部材間に隙間が生じやすい。関連構成Ａでは、当該隙間が存在する状態において、表示装置内への異物の侵入をほとんど抑制できない。したがって、関連構成Ａでは、異物が、表示装置内の表示パネルの表示面に到達することを、ほとんど抑制できないという問題がある。
【０００８】
また、関連構成Ｂでは、通気路が折り曲げられている。しかしながら、通気路が折り曲げられた状態でも、当該通気路を空気は流れる。そのため、関連構成Ｂでは、異物を含んだ空気が、通気路を介して、表示装置内へ侵入する可能性が高い。すなわち、関連構成Ｂでも、表示装置内への異物の侵入をほとんど抑制できない。したがって、関連構成Ｂでも、異物が、表示装置内の表示パネルの表示面に到達することを、ほとんど抑制できないという問題がある。
【０００９】
本発明は、このような問題を解決するためになされたものであり、異物が表示パネルの表示面に到達することを抑制することが可能な表示装置を提供することを目的とする。
【課題を解決するための手段】
【００１０】
上記目的を達成するために、本発明の一態様に係る表示装置は、画像を表示する表示面を有する表示パネルと、前記表示面の周縁部を覆う筐体と、前記筐体を覆う板状部材と、前記板状部材を、前記筐体に接合するための粘着部と、を備え、前記筐体は、前記板状部材により覆われる主面を有し、平面視における前記主面の形状は、閉ループ状であり、前記板状部材は、前記粘着部を介して、前記筐体の前記主面に接合され、前記粘着部は、前記表示装置の外部と前記表示面が存在する領域との間において空気が流れるための経路を有し、前記経路は、前記空気の流れを曲げるための屈曲部を有し、前記粘着部のうち前記屈曲部に接する部分には、前記経路において前記表示面の方向へ流れる前記空気の一部を滞留させるくぼみが設けられている。
【発明の効果】
【００１１】
本発明によれば、前記粘着部は、前記表示装置の外部と前記表示面が存在する領域との間において空気が流れるための経路を有する。前記経路は、前記空気の流れを曲げるための屈曲部を有する。前記粘着部のうち前記屈曲部に接する部分には、前記経路において前記表示面の方向へ流れる前記空気の一部を滞留させるくぼみが設けられている。
【００１２】
すなわち、粘着部のうち、空気が流れるための経路の屈曲部に接する部分に、くぼみが設けられている。そのため、表示面の方向へ流れる空気が、くぼみにおいて滞留する可能性が高い。したがって、表示面の方向へ流れる空気に異物が含まれていても、当該異物がくぼみに留まりやすくなる。その結果、異物が表示パネルの表示面に到達することを抑制することができる。
【図面の簡単な説明】
【００１３】
【図１】本発明の実施の形態１に係る表示装置の分解斜視図である。
【図２】本発明の実施の形態１に係る表示装置の平面図である。
【図３】本発明の実施の形態における特徴的な構成を説明するための図である。
【図４】隣接する２つの粘着部材が、隙間なく配置された状態を示す図である。
【図５】本発明の実施の形態における特徴的な構成の変形例を示す図である。
【図６】本発明の実施の形態２に係る表示装置の平面図である。
【図７】本発明の変形例Ａに係る構成を説明するための図である。
【発明を実施するための形態】
【００１４】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１５】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１６】
＜実施の形態１＞
図１は、本発明の実施の形態１に係る表示装置１００の分解斜視図である。表示装置１００は、例えば、液晶を利用して画像を表示する液晶表示装置である。なお、表示装置１００は、液晶表示装置に限定されず、他の方式の表示装置であってもよい。
【００１７】
図１において、Ｘ方向、Ｙ方向およびＺ方向は、互いに直交する。以下の図に示されるＸ方向、Ｙ方向およびＺ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１８】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１９】
図２は、本発明の実施の形態１に係る表示装置１００の平面図である。なお、図２では、表示装置１００の特徴部分の構成を分かりやすくするために、後述の保護部材１１は輪郭線のみが示され、後述のタッチパネル１３は点線で示されている。
【００２０】
図１および図２を参照して、表示装置１００は、保護部材１１と、接着剤１２と、タッチパネル１３と、粘着部４０と、筐体５０と、表示パネル６０と、面状光源装置７０とを備える。
【００２１】
面状光源装置７０は、表示パネル６０の裏面側に配置される。面状光源装置７０は、表示パネル６０に向けて、光を出射する装置である。面状光源装置７０は、光源と、導光板と、モールドフレームとを含む。光源は、光を出射する。導光板は、光源が出射した光を面状に伝播する。モールドフレームは、光源、導光板を保持する。
【００２２】
表示パネル６０は、画像を表示するパネルである。表示パネル６０は、例えば、液晶パネルである。なお、表示パネル６０は、液晶パネルに限定されず、他の方式の表示パネルであってもよい。例えば、表示パネル６０は、プラズマ方式の表示パネルであってもよい。
【００２３】
表示パネル６０は、表示面６０ａを有する。表示面６０ａは、画像を表示するための面である。以下においては、表示面６０ａのうち、画像の表示に使用される領域を、「表示領域」ともいう。
【００２４】
表示パネル６０は、前述したように、液晶パネルである。当該液晶パネルは、液晶材料の複屈折性を応用したパネルである。液晶パネルは、カラーフィルター基板と、ＴＦＴ基板と、スペーサーと、シール材と、液晶層と、封止材と、配向膜と、偏光板とを含む。
【００２５】
カラーフィルター基板は、ガラスで構成される絶縁性基板上に、着色層、遮光層、対向電等が形成されたものである。また、ＴＦＴ基板は、ガラスで構成される絶縁性基板上に、薄型トランジスタを含む画素電極等が形成されたものである。以下においては、薄型トランジスタを、ＴＦＴ（Thin Film Transistor）ともいう。ＴＦＴは、絶縁性基板上に設けられたスイッチング素子である。
【００２６】
カラーフィルター基板およびＴＦＴ基板は、対向するように設けられる。スペーサーは、カラーフィルター基板と、ＴＦＴ基板との間に、所定の間隔（ギャップ）を作成するように設けられる。シール材は、カラーフィルター基板およびＴＦＴ基板を、互いに張り合わせるための部材である。シール材には、カラーフィルター基板およびＴＦＴ基板およびシール材で構成される空間に、液晶を注入するための注入口が設けられている。なお、当該空間に液晶が注入されることにより液晶層が生成された状態において、当該注入口は封止材によりふさがれる。
【００２７】
液晶層は、カラーフィルター基板とＴＦＴ基板とにより挟持される。配向膜は、液晶層を構成する液晶を配向させるための膜である。偏光板は、特定の方向に振動する光のみを透過させる。
【００２８】
液晶パネルは、スイッチング素子（ＴＦＴ）をオン状態又はオフ状態に変化させることにより液晶層の液晶の配向を制御する。そして、液晶パネルは、当該液晶パネルに入射された光を、映像信号に合わせて変調する。これにより、液晶パネルは、画像の表示を行なう。
【００２９】
タッチパネル１３の形状は、板状である。すなわち、タッチパネル１３は、板状部材である。タッチパネル１３は、表面１３ａと、裏面１３ｂとを有する。タッチパネル１３は、筐体５０の大部分を覆う。平面視（ＸＹ面）におけるタッチパネル１３のサイズは、平面視（ＸＹ面）における筐体５０のサイズより小さい。なお、平面視（ＸＹ面）におけるタッチパネル１３のサイズは、平面視（ＸＹ面）における筐体５０のサイズ以上のサイズであってもよい。この場合、タッチパネル１３は、筐体５０を覆う。
【００３０】
タッチパネル１３は、操作者の操作を受付ける機能を有する。タッチパネル１３は、透明基板、透明電極、回路等で構成される。透明電極、回路等は、当該透明基板上に形成されている。当該透明基板は、例えば、透明なガラスなどで構成される。
【００３１】
タッチパネル１３は、当該タッチパネル１３のうち、操作者の指が接触した位置（座標）を示す情報を電気信号に変換する。そして、当該電気信号は、配線を介して、最終製品の制御回路（図示せず）へ伝達される。
【００３２】
タッチパネル１３は、例えば、投射容量方式のタッチパネルである。タッチパネル１３は、当該タッチパネルに、操作者の指が接触した位置（接触位置）を検出する。タッチパネル１３は、接触位置と、当該接触位置の近傍の複数の電極パターンに基づく電流量の比率とを計測する。これにより、タッチパネル１３は、操作者の指の位置（接触位置）を精密に検出することができる。タッチパネル１３は、検出した接触位置を示す信号を、外部に出力する。
【００３３】
保護部材１１の形状は、板状である。すなわち、保護部材１１は、板状部材である。保護部材１１は、タッチパネル１３の不具合を防ぐための部材である。当該不具合は、例えば、タッチパネル１３に大きな圧力が加わることにより発生する、当該タッチパネル１３の破損である。また、当該不具合は、例えば、タッチパネル１３の変形である。また、当該不具合は、例えば、タッチパネル１３の摩耗である。また、当該不具合は、例えば、タッチパネル１３に対する汚れの付着である。保護部材１１は、透明な材料で構成される。保護部材１１は、ガラス、プラスチック等で構成される。
【００３４】
本実施の形態では、保護部材１１は、例えば、強化ガラスで構成される。当該強化ガラスは、高い強度を有し、変形しにくいガラスである。また、保護部材１１の厚みは、タッチパネル１３の厚みより大きい。保護部材１１の厚みは、例えば、タッチパネル１３の厚みの約２倍の厚みである。これにより、保護部材１１の変形および破損を防ぐことができる。
【００３５】
また、保護部材１１を、意匠部材として利用できるように、保護部材１１の表面または裏面に対し、印刷、塗装等が行われてもよい。保護部材１１は、接着剤１２を介して、タッチパネル１３の表面１３ａに接着される。これにより、入力部材が構成される。
【００３６】
なお、表示装置では、外光の表面反射に起因する視認性の悪化が防止されることが望ましい。また、表示装置は、外部からの衝撃、浸水、埃等から、保護されるように構成されることが望ましい。そこで、保護部材１１およびタッチパネル１３が一体化するように、保護部材１１が、接着剤１２を介して、タッチパネル１３に固定されてもよい。なお、一体化された保護部材１１およびタッチパネル１３は、粘着部４０により、筐体５０に固定される。
【００３７】
筐体５０は、フレームとも呼ばれる。筐体５０は、表示パネル６０および面状光源装置７０を保持する。例えば、筐体５０は、表示面６０ａ側から表示パネル６０を保持する。筐体５０の形状は、閉ループ状（枠状）である。そのため、筐体５０は、表示パネル６０の周縁部を覆う。
【００３８】
また、筐体５０は、開口Ｈ１を有する。開口Ｈ１は、表示パネル６０の表示面６０ａの表示領域が露出されるように、構成される。そのため、表示面６０ａの表示領域に画像が表示される場合、当該画像を構成する光が、開口Ｈ１を通過する。
【００３９】
筐体５０は、主面５０ａと、４つの側板部５０ｂとを有する。平面視（ＸＹ面）における主面５０ａの形状は、閉ループ状である。そのため、筐体５０は、表示パネル６０の表示面６０ａの周縁部を覆う。また、主面５０ａは、板状部材であるタッチパネル１３により覆われる。
【００４０】
なお、平面視（ＸＹ面）における主面５０ａの輪郭の形状は、四角である。そのため、主面５０ａ（筐体５０）は、４つの角部を有する。以下においては、主面５０ａ（筐体５０）が有する角部を、「筐体角部」ともいう。すなわち、主面５０ａ（筐体５０）は、４つの筐体角部を有する。
【００４１】
また、平面視（ＸＹ面）において、筐体５０の主面５０ａは、面状光源装置７０の上面の周縁部を覆う。また、４つの側板部５０ｂにより、面状光源装置７０の側面全体が覆われる。すなわち、筐体５０は、開口Ｈ１以外の部分から、光が漏れないように構成されている。
【００４２】
筐体５０は、例えば、樹脂で構成される。当該樹脂は、例えば、ＰＣ（ポリカーボネート）、ＡＢＳ（アクリロニトリルブタジエンスチレン）等である。筐体５０は、金属で構成されてもよい。当該金属は、例えば、アルミニウム、ステンレス、鉄等である。
【００４３】
粘着部４０は、板状部材であるタッチパネル１３を、筐体５０に接合するための部材である。板状部材であるタッチパネル１３は、粘着部４０を介して、筐体５０の主面５０ａに接合される。
【００４４】
粘着部４０は、複数の粘着部材４で構成されている。本実施の形態では、粘着部４０は、一例として、４つの粘着部材４で構成されている。各粘着部材４の形状は、帯状（長尺状）である。粘着部材４は、例えば、両面テープである。粘着部材４は、表面４ａと、裏面４ｂとを有する。表面４ａおよび裏面４ｂの各々は、粘着性を有する。
【００４５】
粘着部材４は、シート状の基材と、２つの接着シートとから構成される。基材は、当該２つの接着シートの間に設けられる。具体的には、基材の一方の面には、当該２つの接着シートの一方が設けられる。基材の他方の面には、当該２つの接着シートの他方が設けられる。当該２つの接着シートの一方は、表面４ａを有する。当該２つの接着シートの他方は、裏面４ｂを有する。基材は、例えば、ポリオレフィンなどの発泡体で構成される。なお、基材は、アクリル系の材料、ポリウレタン系の材料等であってもよい。
【００４６】
なお、基材は、粘着性を有してもよい。この場合、粘着部材４は基材のみで構成され、当該粘着部材４は、２つの接着シートを有さない。また、この場合、基材の一方の面は表面４ａであり、基材の他方の面は裏面４ｂである。
【００４７】
４つの粘着部材４は、筐体５０の主面５０ａに貼り付けられている。また、４つの粘着部材４は、タッチパネル１３の裏面１３ｂに貼り付けられている。具体的には、平面視（ＸＹ面）において、４つの粘着部材４は、互い重ならないように、主面５０ａに配置されている。当該４つの粘着部材４の各々の裏面４ｂは、主面５０ａに貼り付けられている。４つの粘着部材４の各々の表面４ａは、タッチパネル１３の裏面１３ｂに貼り付けられている。
【００４８】
（特徴的な構成）
次に、本実施の形態における特徴的な構成（以下、「構成Ｃｔ１」ともいう）について詳細に説明する。図３は、本発明の実施の形態における特徴的な構成Ｃｔ１を説明するための図である。図３は、図２の領域Ｒｇ１の拡大図である。図２の領域Ｒｇ１は、主面５０ａ（筐体５０）における１つの筐体角部を示す領域である。
【００４９】
以下においては、粘着部材４の端部を、「端部４ｅ」という。粘着部材４の端部４ｅの形状は、階段状である。隣接する２つの粘着部材４の端部４ｅが、仮に、隙間が生じないように、主面５０ａに貼り付けられた場合、図４のようになる。
【００５０】
なお、隣接する２つの粘着部材４の端部４ｅの間には、接着部材４の寸法公差、貼付ばらつき等により、隙間が生じる場合がある。以下においては、隣接する２つの粘着部材４の端部４ｅの間に存在する隙間を、「経路Ｋ１」ともいう。
【００５１】
なお、経路Ｋ１は、意図せずに生じた隙間でなくてもよい。すなわち、経路Ｋ１は、意図的に設けられた隙間であってもよい。つまり、隣接する２つの粘着部材４は、経路Ｋ１（隙間）が生じるように、主面５０ａに貼り付けられてもよい。
【００５２】
以下においては、経路Ｋ１（隙間）が存在する状態を、「状態Ｓｔ１」ともいう。状態Ｓｔ１では、表示装置１００の外部の空気が、経路Ｋ１、および、筐体５０の開口Ｈ１を介して、表示パネル６０の表示面６０ａ（表示領域）へ到達する可能性がある。すなわち、状態Ｓｔ１において、経路Ｋ１は、表示装置１００の外部と、表示パネル６０の表示面６０ａ（表示領域）が存在する領域との間において空気が流れるための経路である。
【００５３】
なお、仮に、表示装置１００が構成Ｃｔ１を有さず、かつ、空気が異物を含む場合、状態Ｓｔ１では、当該異物が表示パネル６０（表示面６０ａ）の表示領域へ到達するという不具合が発生する可能性がある。
【００５４】
構成Ｃｔ１は、上記の不具合の発生を抑制するための構成である。本実施の形態では、粘着部４０は、１以上の経路Ｋ１を有する。
【００５５】
なお、状態Ｓｔ１における経路Ｋ１の幅は、異物の外形のサイズよりも十分に大きい幅である。状態Ｓｔ１における経路Ｋ１の幅は、例えば、異物の外形のサイズのｋ倍である。ｋは正の実数である。ｋの値は、例えば、２から１０の範囲に含まれる値である。また、前述したように、異物は、例えば、空気、風等により容易に移動する非常に小さいちりである。状態Ｓｔ１における経路Ｋ１の幅は、一例として、０．１μｍから１ｍｍの範囲の間の値である。
【００５６】
また、経路Ｋ１は、屈曲している。構成Ｃｔ１において、経路Ｋ１は、一例として、２つの屈曲部Ｂｄ１を有する。屈曲部Ｂｄ１は、経路Ｋ１のうち、当該経路Ｋ１に存在する空気の流れを曲げるための部分である。屈曲部Ｂｄ１は、隣接する２つの粘着部材４の端部４ｅにより構成される。屈曲部Ｂｄ１は、例えば、直角に曲がった経路である。なお、屈曲部Ｂｄ１は、直角に限定されず、なめらかに曲がった経路であってもよい。
【００５７】
また、構成Ｃｔ１では、粘着部４０のうち屈曲部Ｂｄ１に接する部分には、くぼみＶ１が設けられている。以下においては、表示装置１００の外部の空気が、経路Ｋ１を介して、表示パネル６０の表示面６０ａ（表示領域）が存在する領域に向かって流れる方向を、「方向Ｄｒ１」ともいう。また、以下においては、図３の方向Ｄｒ１に沿って流れる空気を、「空気Ａｒ１」ともいう。空気Ａｒ１は、経路Ｋ１において、表示パネル６０の表示面６０ａ（表示領域）の方向へ流れる空気である。すなわち、空気Ａｒ１は、表示装置１００の外部から、経路Ｋ１を介して、表示装置１００の内部へ流れる空気である。
【００５８】
くぼみＶ１は、空気Ａｒ１の一部を滞留させるくぼみである。すなわち、空気Ａｒ１の一部を滞留させるように、粘着部４０のうち屈曲部Ｂｄ１に接する部分に、くぼみＶ１は設けられる。具体的には、粘着部４０のうち、方向Ｄｒ１のうちの直線部分を、当該直線部分の進行方向に延長した位置に、くぼみＶ１は設けられる。具体的には、くぼみＶ１は、粘着部材４の端部４ｅに設けられる。すなわち、くぼみＶ１は、粘着部材４のうち、階段形状を有する端部４ｅの角部の根元部分に形成される。
【００５９】
くぼみＶ１の形状は、凹状である。例えば、平面視（ＸＹ面）におけるくぼみＶ１の形状は、コの字状（略矩形）である。これにより、くぼみＶ１内に異物が留まりやすくなる。なお、平面視（ＸＹ面）におけるくぼみＶ１の形状は、コの字状に限定されず、例えば、Ｕ字上であってもよい。
【００６０】
以下においては、経路Ｋ１の幅を、「幅Ｗ１」ともいう。また、以下においては、くぼみＶ１の入り口の幅を、「幅Ｗ２」ともいう。構成Ｃｔ１では、くぼみＶ１の入り口の幅Ｗ２は、経路Ｋ１の幅Ｗ１より大きい。これにより、くぼみＶ１内に空気が流入しやすくなるため、異物がくぼみＶ１に入りやすいという効果がある。
【００６１】
図３の構成Ｃｔ１は、主面５０ａ（筐体５０）が有する４つの筐体角部の全てに適用される。なお、構成Ｃｔ１は、４つの筐体角部全てに適用されなくてもよい。構成Ｃｔ１は、例えば、４つの筐体角部のうち、２つまたは３つの筐体角部に適用されてもよい。
【００６２】
以上説明したように、本実施の形態によれば、粘着部４０は、表示装置１００の外部と表示パネル６０の表示面６０ａ（表示領域）が存在する領域との間において空気が流れるための経路Ｋ１を有する。経路Ｋ１は、空気の流れを曲げるための屈曲部Ｂｄ１を有する。粘着部４０のうち屈曲部Ｂｄ１に接する部分には、経路Ｋ１において表示パネル６０の表示面６０ａ（表示領域）の方向へ流れる空気Ａｒ１の一部を滞留させるくぼみＶ１が設けられている。
【００６３】
すなわち、粘着部４０のうち、空気が流れるための経路Ｋ１の屈曲部Ｂｄ１に接する部分に、くぼみＶ１が設けられている。そのため、表示パネル６０の表示面６０ａ（表示領域）の方向へ流れる空気Ａｒ１が、くぼみＶ１において滞留する可能性が高い。したがって、表示パネル６０の表示面６０ａ（表示領域）の方向へ流れる空気Ａｒ１に異物が含まれていても、当該異物がくぼみＶ１に留まりやすくなる。その結果、異物が表示パネル６０の表示面６０ａ（表示領域）に到達することを、関連構成Ａ，Ｂよりも抑制することができる。
【００６４】
そのため、表示パネル６０の表示面６０ａの表示領域に異物が存在するという状態の発生を、関連構成Ａ，Ｂよりも抑制することができる。したがって、表示面６０ａの表示領域に異物が存在している状態で、表示パネル６０が画像を表示した場合における、当該画像の画質の低下の発生を、関連構成Ａ，Ｂよりも抑制することができる。
【００６５】
また、本実施の形態によれば、粘着部４０のうち、方向Ｄｒ１のうちの直線部分を、当該直線部分の進行方向に延長した位置に、くぼみＶ１は設けられる。そのため、空気Ａｒ１の一部がくぼみＶ１に滞留しやすい。したがって、空気Ａｒ１に異物が含まれる場合、当該異物がくぼみＶ１に入りやすい。なお、経路Ｋ１において空気が流れていても、くぼみＶ１に入った異物は、くぼみＶ１の底に溜まった状態を維持しやすい。そのため、異物が表示パネル６０の表示領域に到達することを抑制することができる。
【００６６】
なお、前述の関連構成Ａでは、４つのクッション部材が、作業員の手作業により、ディスプレイ部に貼り付けられる。そのため、隣接する２つのクッション部材間には、クッション部材の寸法公差、クッション部材の貼付ばらつき等により、隙間が生じやすい。隙間が生じた状態では、表示装置内へ異物が侵入しやすいという問題がある。
【００６７】
また、前述の関連構成Ｂでは、通気路の形状は、非直線状である。例えば、通気路の一部の形状は、コの字状である。また、通気路の形状は、曲線状である。そのため、異物が侵入するための経路である通気路を長くする事が出来る。また、通気路内の壁に異物を引っ掛けることも可能である。しかしながら、この構成では、異物が、経路内の壁に引っ掛かったとしても、当該異物の周辺において空気が流れる。そのため、壁に引っ掛かった異物が、通気路のさらに奥へ侵入する可能性があるという問題がある。
【００６８】
そこで、本実施の形態の表示装置１００は、上記のように構成される。そのため、本実施の形態の表示装置１００により、上記の各問題を解決することができる。
【００６９】
なお、図３では、隣接する２つの粘着部材４の両方に、くぼみＶ１を設けているが、これに限定されない。例えば、隣接する２つの粘着部材４の一方のみに、くぼみＶ１を設けてもよい。
【００７０】
また、図３では、１つの筐体角部に存在する粘着部４０に設けたくぼみＶ１の数は２としたがこれに限定されない。筐体角部に存在する粘着部４０に設けたくぼみＶ１の数は、１、または、３以上であってもよい。
【００７１】
図５は、１つの筐体角部に存在する粘着部４０に設けたくぼみＶ１の数が、一例として、４である構成を示す図である。筐体角部に存在する粘着部４０に設けられるくぼみＶ１の数が多い程、異物が表示パネル６０の表示領域に到達することを抑制する効果を高めることができる。
【００７２】
なお、表示装置１００は、タッチパネル１３を備えなくてもよい。構成Ｃｔ１は、タッチパネル１３を備えない表示装置１００に対しても適用可能である。以下においては、タッチパネル１３を備えない表示装置１００における構成Ｃｔ１を、「構成Ｃｔ１ａ」ともいう。
【００７３】
構成Ｃｔ１ａでは、板状部材である保護部材１１が、筐体５０を覆う。また、構成Ｃｔ１ａでは、板状部材である保護部材１１が、粘着部４０を介して、筐体５０の主面５０ａに接合される。構成Ｃｔ１ａの粘着部４０は、板状部材である保護部材１１を、筐体５０に接合するための部材である。
【００７４】
構成Ｃｔ１ａにおいても、図３と同様に、粘着部４０にくぼみＶ１が設けられる。そのため、構成Ｃｔ１ａにおいても、前述の効果が得られる。
【００７５】
＜実施の形態２＞
実施の形態１では、板状部材（タッチパネル１３または保護部材１１）を、筐体５０に接合するための粘着部は、複数の粘着部材で構成されていた。本実施の形態の構成（以下、「構成Ｃｔ２」ともいう）では、粘着部が、１つの粘着部材で構成されている。以下においては、構成Ｃｔ２が適用された表示装置を、「表示装置１００Ａ」ともいう。
【００７６】
図６は、本発明の実施の形態２に係る表示装置１００Ａの平面図である。図６を参照して、表示装置１００Ａは、実施の形態１の表示装置１００と比較して、粘着部４０の代わりに粘着部４０Ａを備える点が異なる。表示装置１００Ａのそれ以外の構成は、表示装置１００と同様なので詳細な説明は繰り返さない。
【００７７】
粘着部４０Ａは、１つの粘着部材４Ａで構成されている。粘着部材４Ａは、長尺状の部材である。粘着部材４Ａは、端部４Ａｅ１，４Ａｅ２を有する。端部４Ａｅ１は、粘着部材４Ａの一方側の端部である。端部４Ａｅ２は、粘着部材４Ａの他方側の端部である。粘着部材４Ａは、粘着部材４と同じ材料で構成される。粘着部材４は、例えば、両面テープである。
【００７８】
粘着部４０Ａ（粘着部材４Ａ）は、板状部材であるタッチパネル１３を、筐体５０に接合するための部材である。粘着部材４Ａ（粘着部４０Ａ）は、図６のように、筐体５０の主面５０ａに貼り付けられている。具体的には、粘着部材４Ａ（粘着部４０Ａ）は、端部４Ａｅ１が端部４Ａｅ２に隣接するように、粘着部材４Ａの複数箇所が折り曲げられて、主面５０ａに貼り付けられる。
【００７９】
なお、端部４Ａｅ１と端部４Ａｅ２との間には、実施の形態１と同様に、貼付ばらつき等により、隙間が生じる場合がある。以下においては、端部４Ａｅ１と端部４Ａｅ２との間に存在する隙間を、「経路Ｋ１」ともいう。
【００８０】
なお、経路Ｋ１は、意図せずに生じた隙間でなくてもよい。経路Ｋ１は、意図的に設けられた隙間であってもよい。すなわち、端部４Ａｅ１と端部４Ａｅ２との間に経路Ｋ１（隙間）が生じるように、粘着部４０Ａ（粘着部材４Ａ）は主面５０ａに貼り付けられてもよい。
【００８１】
構成Ｃｔ２の経路Ｋ１は、表示装置１００Ａの外部と表示パネル６０の表示面６０ａ（表示領域）が存在する領域との間において空気が流れるための経路である。また、構成Ｃｔ２では、板状部材であるタッチパネル１３は、粘着部４０Ａ（粘着部材４Ａ）を介して、筐体５０の主面５０ａに接合される。すなわち、粘着部材４Ａ（粘着部４０Ａ）は、タッチパネル１３の裏面１３ｂに貼り付けられている。
【００８２】
構成Ｃｔ２では、粘着部４０Ａ（粘着部材４Ａ）は、経路Ｋ１を有する。構成Ｃｔ２における経路Ｋ１の形状は、構成Ｃｔ１における経路Ｋ１の形状と同じである。すなわち、構成Ｃｔ２の経路Ｋ１は、屈曲部Ｂｄ１を有する。屈曲部Ｂｄ１は、隣接する端部４Ａｅ１，４Ａｅ２により構成される。
【００８３】
また、構成Ｃｔ２では、構成Ｃｔ１と同様に、粘着部４０Ａ（粘着部材４Ａ）のうち屈曲部Ｂｄ１に接する部分に、くぼみＶ１が設けられている。
【００８４】
なお、構成Ｃｔ２のくぼみＶ１の形状および構成は、構成Ｃｔ１のくぼみＶ１の形状および構成と同じである。そのため、構成Ｃｔ２では、構成Ｃｔ１と同様に、くぼみＶ１の入り口の幅Ｗ２は、経路Ｋ１の幅Ｗ１より大きい。
【００８５】
以上説明したように、本実施の形態によれば、実施の形態１と同様な効果が得られる。例えば、異物が表示パネル６０の表示面６０ａ（表示領域）に到達することを、関連構成Ａ，Ｂよりも抑制することができる。
【００８６】
また、本実施の形態では、粘着部４０Ａは、１つの粘着部材４Ａで構成されている。そのため、粘着部４０Ａに存在する隙間（経路Ｋ１）は、１つである。これにより、異物が表示パネル６０の表示面６０ａ（表示領域）に到達することをさらに抑制することができる。
【００８７】
なお、表示装置１００Ａは、タッチパネル１３を備えなくてもよい。構成Ｃｔ２は、タッチパネル１３を備えない表示装置１００Ａに対しても適用可能である。以下においては、タッチパネル１３を備えない表示装置１００Ａにおける構成Ｃｔ２を、「構成Ｃｔ２ａ」ともいう。
【００８８】
構成Ｃｔ２ａでは、板状部材である保護部材１１が、筐体５０を覆う。また、構成Ｃｔ２ａでは、板状部材である保護部材１１が、粘着部４０Ａ（粘着部材４Ａ）を介して、筐体５０の主面５０ａに接合される。構成Ｃｔ２ａの粘着部４０Ａ（粘着部材４Ａ）は、板状部材である保護部材１１を、筐体５０に接合するための部材である。
【００８９】
なお、構成Ｃｔ２ａにおいても、図３と同様に、粘着部４０Ａ（粘着部材４Ａ）にくぼみＶ１が設けられる。そのため、構成Ｃｔ２ａにおいても、前述の効果が得られる。
【００９０】
＜変形例Ａ＞
本変形例では、粘着部のうち、経路Ｋ１に接する部分に特徴的な構成（以下、「構成Ｃｔｍａ」ともいう）が存在する。図７は、本発明の変形例Ａに係る構成Ｃｔｍａを説明するための図である。図７は、一例として、図３が示す構成Ｃｔ１に、構成Ｃｔｍａを適用した状態を示す図である。以下においては、経路Ｋ１を構成する側面を、「側面Ｓ１」ともいう。図７において、側面Ｓ１は、各粘着部材４の端部４ｅのうち、経路Ｋ１に接する側面である。また、くぼみＶ１を構成する側面を、「側面Ｖｓ１」ともいう。
【００９１】
構成Ｃｔｍａでは、側面Ｓ１は、凹凸形状を有する。すなわち、粘着部４０のうち、経路Ｋ１に接する部分（側面Ｓ１）は、凹凸形状を有する。また、側面Ｖｓ１も、凹凸形状を有する。
【００９２】
以上の本変形例によれば、異物が、凹凸形状を有する側面Ｓ１の凹部（谷部）に引っ掛かりやすくなる。そのため、異物が表示パネル６０の表示面６０ａ（表示領域）に到達することをさらに抑制することができる。
【００９３】
なお、構成Ｃｔｍａは、前述の構成Ｃｔ１ａに適用してもよい。また、構成Ｃｔｍａは、実施の形態２の構成Ｃｔ２に適用してもよい。以下においては、構成Ｃｔｍａが適用された構成Ｃｔ２を、「構成Ｃｔ２ｍａ」ともいう。
【００９４】
構成Ｃｔ２ｍａでは、側面Ｓ１は、粘着部４０Ａ（粘着部材４Ａ）における、端部４Ａｅ１、または，端部４Ａｅ２のうち、経路Ｋ１に接する側面である。構成Ｃｔ２ｍａでは、粘着部４０Ａ（粘着部材４Ａ）のうち、経路Ｋ１に接する部分（側面Ｓ１）は、凹凸形状を有する。
【００９５】
また、構成Ｃｔｍａは、前述の構成Ｃｔ２ａに適用してもよい。
【００９６】
なお、本発明は、その発明の範囲内において、各実施の形態、変形例を自由に組み合わせたり、各実施の形態、変形例を適宜、変形、省略することが可能である。
【００９７】
例えば、実施の形態１の構成Ｃｔ１では、図２のように、主面５０ａに貼り付けられている粘着部材４の数は４であるが、例えば、２または３であってもよい。
【００９８】
また、上記の実施の形態では、筐体角部に、経路Ｋ１（隙間）が存在する形態を説明したが、これに限定されない。経路Ｋ１は、主面５０ａ（筐体５０）のうち、筐体角部以外の領域に存在してもよい。
【符号の説明】
【００９９】
１１  保護部材、１３  タッチパネル、４０，４０Ａ  粘着部、５０  筐体、６０  表示パネル、１００，１００Ａ  表示装置、Ｖ１  くぼみ。
【図１】
2019008093.tif 000003
【図２】
2019008093.tif 000004
【図３】
2019008093.tif 000005
【図４】
2019008093.tif 000006
【図５】
2019008093.tif 000007
【図６】
2019008093.tif 000008
【図７】
2019008093.tif 000009